(57)【要約】【解決手段】５２枚のカード１，１のコーナー付近に、ハート、ダイヤ、クラブ、スペードの４組の記号２と、Ａ又は１〜１０の数字３、ならびに、Ｊ、Ｑ、Ｋの絵文字４を印刷する。前記５２枚のカード１，１のうち、４７枚のカード１，１については、その中央付近に日本の都道府県のシルエット５を印刷する。５２枚のカード１，１のうち、１都、１道、２府、４３県のシルエット５が印刷されていない残り５枚のカード１’には、前記４７都道府県以外のシルエット８を印刷する。【効果】通常のトランプ遊びができるだけでなく、遊びを通して日本の都道府県名とその外形を示すシルエットを覚えるという学習効果が得られる。日本の４７都道府県以外の予期しないシルエットが出て来てさらに深く考えるので、学習効果が増大する。【選択図】図１
0003127953.tif 000002
【実用新案登録請求の範囲】
【請求項１】
５２枚のカードのコーナー付近に、ハート、ダイヤ、クラブ、スペードの４組の記号とＡ又は１〜１０の数字ならびにＪ、Ｑ、Ｋの絵文字を印刷するとともに、そのうちの４７枚のカードについては、その中央付近に日本の都道府県のシルエットを印刷したことを特徴とするトランプカード。
【請求項２】
５２枚のカードのうち、１都、１道、２府、４３県のシルエットが印刷されていない残り５枚には、前記４７都道府県以外のシルエットが印刷されていることを特徴とする請求項１記載のトランプカード。
【請求項３】
１都、１道、２府、４３県のシルエットが印刷されているカードの余白部分に、前記シルエットに対して上下逆向きに都道府県名が表示されていることを特徴とする請求項１記載のトランプカード。
【請求項４】
上下逆向きに表示されている都道府県名の下に、目印としての線を付したことを特徴とする請求項３記載のトランプカード。
【考案の詳細な説明】
【技術分野】
【０００１】
本考案は、５２枚のカードのうち４７枚のカードに、日本の都道府県のシルエットが印刷されたトランプカードに関するものである。
【背景技術】
【０００２】
５２枚ある従来のトランプカードには、そのコーナー付近にハート、ダイヤ、クラブ、スペードの４組の記号とＡ〜１０の数字ならびにＪ、Ｑ、Ｋの絵文字が印刷され、それよりも内側には、Ａ〜１０の数字に相当する数の記号と、Ｊ、Ｑ、Ｋについてはジャック、クイーン、キングの絵とが組ごとに印刷されているのが一般的である。そして、この種のトランプカードでは、通常のトランプ遊びしかできない。
【０００３】
一方、トランプカードに部分地図を印刷しておき、通常のトランプ遊びだけでなく、それらを縦横に並べることによって連続した地図が形成されるようにしたものが提案されている（例えば、特許文献１参照）。
【０００４】
【特許文献１】実開平６−４８７５４号公報
【考案の開示】
【考案が解決しようとする課題】
【０００５】
上述した通常のトランプカードでは、遊びを通して知識を得ることができない。
そこで、遊びを通して覚えることの楽しさを知ってもらうことができれば、学習効果を発揮できる。本考案は、このような効果をねらって着想されたものである。
【課題を解決するための手段】
【０００６】
上記目的を達成するために、本考案では、５２枚のカードのコーナー付近に、ハート、ダイヤ、クラブ、スペードの４組の記号とＡ又は１〜１０の数字ならびにＪ、Ｑ、Ｋの絵文字が印刷されており、そのうちの４７枚のカードについては、その中央付近に日本の都道府県のシルエットが印刷されている。
本考案のトランプカードによれば、従来と同様の各種トランプ遊びができるだけでなく、遊びを通して日本の都道府県名とその外形を示すシルエットを覚えるという学習効果が得られる。
【０００７】
５２枚のカードのうち、１都、１道、２府、４３県のシルエットが印刷されていない残り５枚には、前記４７都道府県以外のシルエットを印刷しておくとよい。この場合には、日本の４７都道府県以外の予期しないシルエットが出て来てさらに深く考えるので、学習効果が増大する。
【０００８】
１都、１道、２府、４３県のシルエットが印刷されているカードの余白部分に、前記シルエットに対して上下逆向きに都道府県名が表示されていることが望ましい。このようなトランプカードで遊び始めた当初は、この都道府県名から都道府県のシルエットを覚え始め、習熟していくに連れてシルエットを見るだけで、都道府県名を言えるようになるので、好都合である。
【０００９】
上下逆向きに表示されている都道府県名の下に、目印としての線を付しておくとよい。この場合には、この線の位置によって各都道府県のシルエットの上下を容易に認識することができる。
【考案の効果】
【００１０】
請求項１記載の考案によれば、従来と同様の各種トランプ遊びができるだけでなく、遊びを通して日本の都道府県名とその外形を示すシルエットを覚えるという学習効果が得られる。
【００１１】
請求項２記載の考案によれば、日本の４７都道府県以外の予期しないシルエットが出て来てさらに深く考えるので、学習効果が増大する。
【００１２】
請求項３記載のトランプカードで遊び始めた当初は、この都道府県名から都道府県のシルエットを覚え始め、習熟していくに連れてシルエットを見るだけで、都道府県名を言えるようになるので、好都合である。
【００１３】
請求項４記載の考案によれば、都道府県名の下に付されている目印としての線の位置によって、各都道府県のシルエットの上下を容易に認識することができる効果がある。
【考案を実施するための最良の形態】
【００１４】
本考案によるトランプカードの一例を、図面に基いて詳細に説明する。ここには、小学校低学年〜高学年をターゲットとしたトランプカードであって、少なくとも５２枚のカードからなる場合が例示されている。ジョーカーを１枚ないし２枚追加してもよい。
５２枚のカード１，１の片面（通常の裏面に相当する）であって、その対角線上のコーナー付近には、図１(A)、(B)の上側に示すように、ハート、ダイヤ、クラブ、スペードの４組の記号２とＡ〜１０の数字３が、また、図１(C)の上側に示すように、Ｊ、Ｑ、Ｋの絵文字４が印刷されている。このような印刷形態は、従来のトランプカードと同じである。従って、従来と同様の各種トランプ遊びができる。
なお、数字「Ａ」については、図２に示すように、単に「１」と表示することにより、「Ａ」の表示に代えることもでき、また、両方を印刷しておいてもよい。
【００１５】
そして、従来のトランプカードと異なるところは、これら５２枚のカード１，１のうち４７枚のカードの片面（通常の裏面に相当する）の中央付近に、図１(A)〜(C)の上側に示すように、日本の都道府県のシルエット、すなわち、１都、１道、２府、４３県のシルエット５が印刷されていることである。従って、通常のトランプ遊びをしながら、また、通常のトランプ遊びを楽しんでいるうちに、日本の都道府県名とその外形を示すシルエットを覚えることができる。
なお、図１(A)においては、和歌山県のシルエットが、図１(B)においては、栃木県のシルエットが、図１(C)においては、山口県のシルエットが印刷されている場合を例示する。
【００１６】
図１に示すように、日本の都道府県のシルエット、すなわち、１都、１道、２府、４３県のシルエット５が印刷されているのは、トランプカード１の片面（（通常の裏面に相当する。図１の上側に示す面）であり、それとは反対の面（通常の表面に相当する。図１の下側に示す面）には、例えば、サンタクロースの絵６や日本地図とトナカイとを組み合わせてデザイン化された絵７などが印刷されている。
このようなデザインとすれば、プレゼントを配るために日本中を駆け回るサンタクロースと一緒に日本の都道府県に出掛けて、出掛けた都道府県名とその外形を示すシルエットを覚えることができる。遊びを通して覚えることの楽しみを知ってもらうことができる。
【００１７】
デザイン化された絵７などを印刷する面（通常の表面に相当する。）に印刷するデザインは、ここに例示したもののみに限定されるものではない。
なお、図３において符号６’、７’で示すように、「サンタと全国暗記トランプカード」のデザインを印刷した場合には、プレゼントを配るために日本中を駆け回るサンタクロースと一緒に日本の都道府県に出掛けるというコンセプトで、出掛けた都道府県名とその外形を示すシルエットを暗記することができる。
【００１８】
一方、５２枚のカードのうち、１都、１道、２府、４３県のシルエット５が印刷されていない残り５枚のカード１’については、例えば、図２に示すように、前記４７都道府県以外のシルエット８が印刷されている。このシルエット８としては、例えば、日本や世界のいずれかの国のシルエットや、様々なデザインからなるシルエットを挙げることができる。図２では、日本国のシルエットが印刷されている場合を例示する。
このようなカード１’が付加されていると、日本の４７都道府県以外の予期しないシルエット８が出て来てさらに深く考えるので、学習効果が増大する。このようなカード１’が出てくることで、いわゆる引っ掛け問題となるので、学習効果が増大する。
【００１９】
なお、図１(A)〜(C)の上側に示すように、１都、１道、２府、４３県のシルエット５が印刷されているカード１，１の余白部分には、前記シルエット５の上下が分かるように、上下逆向きに都道府県名の答え９が表示され、その下に線９’を付して目印としてある。例えば、図１(A)においては、和歌山、図１(B)においては、栃木、図１(C)においては、山口という都道府県名が上下逆向きにそれぞれ表示されており、それらの下側に線９’が付してある。目印となるこの線９’の位置によって、各都道府県のシルエットの上下を容易に認識することができる。
そして、このようなトランプカードで遊び始めた当初は、前記答えから都道府県のシルエットを覚え始め、習熟していくに連れてシルエットを見るだけで、都道府県名を言えるようになる。
【産業上の利用可能性】
【００２０】
このように、本考案によるトランプカードは、通常のトランプ遊びをしながら日本の都道府県名とその外形を示すシルエットを覚えることができるものであり、通常のトランプカードとして販売することができるのみならず、小学生向けの雑誌、マンガの付録に適用することもできる。
【図面の簡単な説明】
【００２１】
【図１】本考案によるトランプカードの一例を示す平面図で、(A)、(B)、(C)は日本の都道府県のシルエットを印刷した４７枚のカードのうちから無差別に選び出した３枚のカードの片面のデザインと、その反対側のデザインの一例を示す。
【図２】５２枚のカードのうち、１都、１道、２府、４３県のシルエットが印刷されていない残り５枚のカードにおけるデザインの一例を示す平面図である。
【図３】図１(A)、(B)、(C)の下側に示すカードにおける別のデザインの一例を示す平面図である。
【符号の説明】
【００２２】
１、１’…カード、２…記号、３…数字、４…絵文字、５…都道府県のシルエット、８…４７都道府県以外のシルエット、９…都道府県名の答え、９’…目印としての線。
【図１】
0003127953.tif 000003
【図２】
0003127953.tif 000004
【図３】
0003127953.tif 000005
【手続補正書】
【提出日】平成18年10月17日(2006.10.17)
【手続補正１】
【補正対象書類名】図面
【補正対象項目名】図１
【補正方法】変更
【補正の内容】
【図１】
0003127953.tif 000006